Podtech/llm-jp-corpus-v4-ja_patent huggingface dataset:
【手続補正書】
【提出日】平成17年1月25日(2005.1.25)
【手続補正１】
【補正対象書類名】特許請求の範囲
【補正対象項目名】全文
【補正方法】変更
【補正の内容】
【特許請求の範囲】
【請求項１】
キャラクタを含む画像を表示するカラー画像表示部と、パチンコ機の遊技状態を制御する第１の制御手段と、前記カラー画像表示部に表示すべき画像を表示するように制御する第２の制御手段と、を備えたパチンコ機において、
前記第１の制御手段は、遊技状態を制御する第１の演算処理手段と、遊技状態を制御するためのデータを記憶している第１の不揮発記憶手段と、遊技状態を制御するためのデータを一時的に記憶する第１の揮発記憶手段と、を含み、
前記第２の制御手段は、前記カラー画像表示部に画像を表示させるための制御用プログラムを記憶している第２の不揮発記憶手段と、前記カラー画像表示部の制御用データを一時的に記憶する第２の揮発記憶手段と、該第２の不揮発記憶手段にアクセスして制御用プログラムを随時読み出し、その読み出したプログラムに従って画像表示用信号を出力する第２の演算処理装置と、前記カラー画像表示部により表示されるキャラクタ画像データを記憶している第３の不揮発記憶手段と、該第３の不揮発記憶手段に記憶されたキャラクタ画像データが随時読み出されて展開されている第３の揮発記憶手段と、該第３の揮発記憶手段に展開されているキャラクタ画像データを前記カラー画像表示部に表示させる表示制御を行なう映像制御部と、前記映像制御部と前記カラー画像表示部を接続するＤ／Ａコンバータとを含み、前記第２の演算処理装置は、前記第１の制御手段からの指令信号に基づいて前記カラー画像表示部に表示すべき画像を表示するように制御するものであり、該第２の演算処理装置は該表示制御を割込処理によって実行し、
前記映像制御部が前記キャラクタを含む画像を前記カラー画像表示部に表示する制御を行なっているときに、前記第２の演算処理装置は、前記第２の揮発記憶手段に記憶されている指令信号に基づき前記第２の不揮発記憶手段にアクセスして、当該映像制御部によって表示制御が行なわれている前記画像から切換えられる次の画像を前記カラー画像表示部に表示制御するための前記制御用プログラムを読み出すことを特徴とする遊技機。
【手続補正２】
【補正対象書類名】明細書
【補正対象項目名】０００５
【補正方法】変更
【補正の内容】
【０００５】
本発明のパチンコ機は、上記課題を解決するために、キャラクタを含む画像を表示するカラー画像表示部と、パチンコ機の遊技状態を制御する第１の制御手段と、前記カラー画像表示部に表示すべき画像を表示するように制御する第２の制御手段と、を備えた。
【手続補正３】
【補正対象書類名】明細書
【補正対象項目名】０００６
【補正方法】変更
【補正の内容】
【０００６】
また、本発明において、前記第１の制御手段は、遊技状態を制御する第１の演算処理手段と、遊技状態を制御するためのデータを記憶している第１の不揮発記憶手段と、遊技状態を制御するためのデータを一時的に記憶する第１の揮発記憶手段と、を含む。
また、本発明において、前記第２の制御手段は、前記カラー画像表示部に画像を表示させるための制御用プログラムを記憶している第２の不揮発記憶手段と、前記カラー画像表示部の制御用データを一時的に記憶する第２の揮発記憶手段と、該第２の不揮発記憶手段にアクセスして制御用プログラムを随時読み出し、その読み出したプログラムに従って画像表示用信号を出力する第２の演算処理装置と、前記カラー画像表示部により表示されるキャラクタ画像データを記憶している第３の不揮発記憶手段と、該第３の不揮発記憶手段に記憶されたキャラクタ画像データが随時読み出されて展開されている第３の揮発記憶手段と、該第３の揮発記憶手段に展開されているキャラクタ画像データを前記カラー画像表示部に表示させる表示制御を行なう映像制御部と、前記映像制御部と前記カラー画像表示部を接続するＤ／Ａコンバータとを含み、前記第２の演算処理装置は、前記第１の制御手段からの指令信号に基づいて前記カラー画像表示部に表示すべき画像を表示するように制御するものであり、該第２の演算処理装置は該表示制御を割込処理によって実行する。
また、本発明において、前記映像制御部が前記キャラクタを含む画像を前記カラー画像表示部に表示する制御を行なっているときに、前記第２の演算処理装置は、前記第２の揮発記憶手段に記憶されている指令信号に基づき前記第２の不揮発記憶手段にアクセスして、当該映像制御部によって表示制御が行なわれている前記画像から切換えられる次の画像を前記カラー画像表示部に表示制御するための前記制御用プログラムを読み出す。
【手続補正４】
【補正対象書類名】明細書
【補正対象項目名】０００７
【補正方法】変更
【補正の内容】
【０００７】
本発明のパチンコ機は、上記構成により、図柄表示において、詳細な図形や絵柄を鮮明に表示することができ、多種類の色彩を表示でき、図柄を変動させたり図柄を切り替える際に、円滑に視認され、遊技者にとって表示図柄に飽きることなく、パチンコ機として趣向性に富んだ遊技表示を提供することが可能である。
【手続補正書】
【提出日】平成16年11月10日(2004.11.10)
【手続補正１】
【補正対象書類名】明細書
【補正対象項目名】０００２
【補正方法】変更
【補正の内容】
【０００２】
【従来の技術】
従来、仮想ゲームフィールドの特定位置に対応する音データを再生するゲーム装置が知られている。例えば、仮想ゲームフィールドの特定位置に対応づけて音データが記憶され、プレイヤの操作によるゲームキャラクタオブジェクトの移動に応じて該ゲームキャラクタオブジェクトの該仮想フィールドにおける位置を取得し、該位置に対応づけて記憶されている音データを再生していた。こうした装置によれば、仮想ゲームフィールドにおけるその位置の属性（木の床、石畳等）が、再生される音によって認識され、ゲームのリアリティを高めることができる。
【特許文献１】  特許第３１２３９５７号公報
【手続補正書】
【提出日】平成16年11月10日(2004.11.10)
【手続補正１】
【補正対象書類名】明細書
【補正対象項目名】０００２
【補正方法】変更
【補正の内容】
【０００２】
【背景技術】
難易度の高いゲームが増えてきている。例えば、プレイヤキャラクタにリアルで複雑な動作をさせるために、プレイヤに複雑な操作を要求するもの等が知られている。
【特許文献１】  特許第２７７３７５３号公報
【手続補正書】
【提出日】平成16年11月10日(2004.11.10)
【手続補正１】
【補正対象書類名】明細書
【補正対象項目名】０００２
【補正方法】変更
【補正の内容】
【０００２】
【従来の技術】
仮想ゲーム空間に仮想カメラ及び各種オブジェクトを配置し、発音源であるオブジェクトから音が発せられる場合には、該発音源と仮想カメラとの位置関係に応じた音量にて該音を出力するゲーム装置が知られている。こうしたゲーム装置によれば、音響面からも、あたかもプレイヤに仮想ゲーム空間にいるかのような気分を与えることができる。
【特許文献１】  特許第３１２３９５７号公報
【手続補正書】
【提出日】平成16年11月9日(2004.11.9)
【手続補正１】
【補正対象書類名】明細書
【補正対象項目名】０００３
【補正方法】変更
【補正の内容】
【０００３】
従来、この種の音楽ゲームソフトウエアとしては、入力装置として音楽鍵盤の設けられた音楽キーボードを用い、ゲーム画面上に順次表示される鍵盤の操作指示画像（コマンド画像）に応じてプレーヤが対応する鍵盤をタイミング良く操作することにより、所望の音楽が出力されるものが知られている（例えば、コナミ株式会社：「キーボードマニア」などのゲームソフトウエア）。なお、関連する技術としては、特許文献１に開示されたものが知られている。
【特許文献１】特開２０００−１４９３１号公報
【手続補正書】
【提出日】平成16年8月26日(2004.8.26)
【手続補正１】
【補正対象書類名】特許請求の範囲
【補正対象項目名】全文
【補正方法】変更
【補正の内容】
【特許請求の範囲】
【請求項１】
金敷と、該金敷上に置かれて互いに離間するように変位可能な複数の成形要素と、を備えた締付け用ダイス型であって、
前記成形要素を互いに近付けるように押圧する復原手段と、
前記成形要素の外方への変位ストロークを制限するための手段と、
を備えたことを特徴とする締付け用ダイス型。
【請求項２】
前記総ての成形要素は、ダイス型上に装着された単一の非エラストマー部材によって押し付けられ、
前記非エラストマー部材は、前記復原手段と前記成形要素の外方への変位ストロークを制限するための手段とを含んでいる請求項１に記載の締付け用ダイス型。
【請求項３】
前記非エラストマー部材は開口を有していて、該開口の縁部は、前記成形要素と隣接係合することで、前記成形要素の外方への変位ストロークを制限するための手段として機能する請求項２に記載の締付け用ダイス型。
【請求項４】
前記成形要素は前記開口に挿通されて延びている突起を有しており、前記開口の縁部は前記突起と隣接係合することで、前記成形要素の外方への変位ストロークを制限するための手段として機能する請求項３に記載の締付け用ダイス型。
【請求項５】
前記非エラストマー部材は側壁部分を有し、前記成形要素は前記側壁部分により案内されるようになっている請求項２〜４のいずれかに記載の締付け用ダイス型。
【請求項６】
前記非エラストマー部材は前記金敷に固定されている請求項２〜５のいずれかに記載の締付け用ダイス型。
【請求項７】
前記金敷は周囲に溝を有しており、前記非エラストマー部材は前記溝に係合するカラー部分を有している請求項６に記載の締付け用ダイス型。
【請求項８】
前記カラー部分の両端は互いに連結されている請求項７に記載の締付け用ダイス型。
【請求項９】
前記カラー部分の両端はスポット溶接により連結されている請求項８に記載の締付け用ダイス型。
【請求項１０】
前記非エラストマー部材は前記成形要素が案内される２つの側壁部分を有し、前記カラー部分は一方の側壁部分から延びた長いカラー部分と、他方の側壁部分から延びた短いカラー部分とを備え、
前記長いカラー部分と前記短いカラー部分とが前記金敷における前記溝に曲げ入れられ、前記長いカラー部分と前記短いカラー部分の重合端部が結合された請求項８に記載の締付け用ダイス型。
【請求項１１】
前記非エラストマー部材は、ばね鋼シート材料を切断して最終形状に折り曲げることにより形成されている請求項２〜１０のいずれかに記載の締付け用ダイス型。
【請求項１２】
前記復原手段は板ばね舌片として形成されている請求項１〜１１のいずれかに記載の締付け用ダイス型。
【請求項１３】
前記非エラストマー部材は、単一の打ち出し及び曲げ部材である請求項２〜１１のいずれかに記載の締付け用ダイス型。
【請求項１４】
開口を有する中央部分と、該中央部分に接続されていてそこから約９０゜折り曲げられるようになっている側壁部分と、少なくとも一つの側壁部分に接続されたカラー部分と、前記中央部分に接続されていてそこから約９０゜折り曲げられるようになっている中間部分と、該中間部分に接続されていてそこから約９０゜以上折り曲げられるようになっている押圧部分とを有する請求項２〜１１、１３のいずれかに記載の非エラストマー部材を製作するためのブランク。
【請求項１５】
請求項１〜１３のいずれかに記載されたダイス型と、該ダイス型と協働してプレスの駆動により締付け結合を行うパンチとを備え、前記ダイス型とパンチは各々前記プレス上に装架されたソケット内部に受容されるべきシャフトを有し、該シャフトは各々二つの対向側面上に平坦部を有する円筒体として形成されており、該円筒体の直径は、ソケット空洞部が中空円筒形の場合に該ソケット空洞部の内径と互いに補足し合うようになっていると共に、前記平坦部に平行な各シャフトの幅は、ソケット空洞部が四角形の場合に該ソケット空洞部の幅と互いに補足し合うようになっている、プレス上に装着される工具セット。
【請求項１６】
前記シャフトの周囲に凹みが設けられている請求項１５に記載の工具セット。
【請求項１７】
前記凹みは前記平坦部内へ延びている請求項１６に記載の工具セット。
【請求項１８】
前記凹みは周囲溝である請求項１６に記載の工具セット。
【請求項１９】
前記各シャフトの部分に段部を設けた請求項１６に記載の工具セット。
【請求項２０】
前記ソケット空洞部に、挿入されたシャフトの回転防止手段を設けた請求項１５に記載の工具セット。
【請求項２１】
前記空洞部の胴部に開口を有している請求項１５に記載の工具セット。
【請求項２２】
前記空洞部の胴部における前記開口は前記空洞部の軸方向長さ全体に亘って延びている請求項２１に記載の工具セット。
【請求項２３】
前記空洞部の胴部における前記開口は前記平坦部間の幅寸法を越えた幅を有している請求項２２に記載の工具セット。
【請求項２４】
前記空洞部の胴部に開口を有しており、
前記回転防止手段は前記空洞部の胴部における前記開口に対向して設けられている請求項２０に記載の工具セット。
【請求項２５】
前記各シャフトの部分に段部を設け、前記回転防止手段は前記段部と互いに補足し合うようになっている請求項２０又は２４に記載の工具セット。
【請求項２６】
前記ソケットが、前記シャフトの軸に対し直交する方向に延びているねじ孔を有している請求項１５に記載の工具セット。
【請求項２７】
請求項１〜１３のいずれかに記載されたダイス型と、該ダイス型と協働してプレスの駆動により締付け結合を行うパンチとを備え、前記ダイス型とパンチは各々前記プレス上に装架されたソケットの空洞部に受容されるべきシャフトを有し、前記シャフトの周囲と前記空洞部の胴部のそれぞれに凹みが設けられ、前記シャフトの周囲の凹みと前記空洞部の胴部の凹みとを合わせることで、ねじ孔が構成される工具セット。
【手続補正書】
【提出日】平成17年1月27日(2005.1.27)
【手続補正１】
【補正対象書類名】特許請求の範囲
【補正対象項目名】全文
【補正方法】変更
【補正の内容】
【特許請求の範囲】
【請求項１】
支柱脚等により地面より所定高さ位置に支持され、繊維強化プラスチック等の剛性直方体からなる外枠６に、該外枠６の底壁全面、四周囲内側側壁３全面に沿って空気通路を形成するステンレス網からなる１２cm幅の底壁空気層８、側壁空気層９及び前記外枠６の短壁１に並列で３０ｃｍ間隔の仕切壁となるようにステンレス網からなる１２cm幅の仕切壁空気層１０を形成することを特徴とする自然発酵処理装置。
【請求項２】
前記外枠６は、前記側壁３の長辺２側を支点にして観音開き状に開閉できる天井扉４及び底壁扉５を形成したことを特徴とする請求項１記載の自然発酵処理装置。
【請求項３】
前記仕切壁空気層１０は、前記外枠６内部にフレーム枠等により固定支持され、下方が開放されて前記底壁空気層８に連通し、上方が閉塞された細幅直方体形状となることを特徴とする請求項１記載の自然発酵処理装置。
【手続補正２】
【補正対象書類名】明細書
【補正対象項目名】０００６
【補正方法】変更
【補正の内容】
【０００６】
本発明の自然発酵処理装置は、支柱脚等により地面より所定高さ位置に支持され、繊維強化プラスチック等の剛性直方体からなる外枠６に、該外枠６の底壁全面、四周囲内側側壁３全面に沿って１２cm幅の空気通路を形成するステンレス網からなる底壁空気層８、側壁空気層９及び前記外枠６の短壁１に並列で３０ｃｍ間隔の仕切壁となるようにステンレス網からなる仕切壁空気層１０を１２cm幅に形成するものである。
前記外枠６は、前記側壁３の長辺２側を支点にして観音開き状に開閉できる天井扉４及び底壁扉５とを形成したものである。
前記仕切壁空気層１０は、前記外枠６内部にフレーム枠等により固定支持され、下方が開放されて前記底壁空気層８に連通し、上方が閉塞された細幅直方体形状となるものである。
【手続補正３】
【補正対象書類名】明細書
【補正対象項目名】０００９
【補正方法】変更
【補正の内容】
【０００９】
次に、本発明の自然発酵処理装置を利用した堆肥の製造方法について以下に説明する。
まず、堆肥に使える材料、家畜糞尿、生ゴミ、食品残滓、下水、し尿、汚泥、バーク、海草類等の有機廃棄物に木屑・籾殻等（少量の砂糖・米糠）と土壌菌を加えて水分６０％前後に配合し、混合して混合物Ａを作製する。
さらに、前記混合物Aに前に作ってある堆肥を１０％戻し、山積みにして１日程度予備発酵を行う。
この山積みでの予備発酵では、前記混合物Ａが約２０〜４０℃に発熱し、予備発酵した混合物Ｂが形成される。
予備発酵温度が３０〜４０℃になったら、撹拌スクリューコンベアによりかき混ぜながら所定高さ位置に設置されている自然発酵処理装置の外枠６内に前記混合物Ｂを天井扉４から投入する。
前記外枠６の内部はステンレス網からなる底壁空気層８、側壁空気層９、仕切壁空気層１０が設けられて小部屋１３に分割されており、予備発酵した混合物Ｂは前記仕切壁空気層１０、１０間の小部屋１３に充填され、さらに前記仕切壁空気層１０の上面を１５cm覆う厚さまで充填される。
【手続補正書】
【提出日】平成17年1月11日(2005.1.11)
【手続補正１】
【補正対象書類名】明細書
【補正対象項目名】発明の名称
【補正方法】変更
【補正の内容】
【発明の名称】半導体装置
【手続補正２】
【補正対象書類名】明細書
【補正対象項目名】特許請求の範囲
【補正方法】変更
【補正の内容】
【特許請求の範囲】
【請求項１】
不揮発性メモリを有する半導体装置であって、
前記不揮発性メモリは、メモリ素子とスイッチング素子とがマトリクス状に配列された複数のメモリセルで構成され、
前記メモリ素子は、絶縁基板上に設けられた半導体活性層と、ゲイト絶縁膜と、フローティングゲイト電極と、前記フローティングゲイト電極を覆って設けられた酸化膜と、コントロールゲイト電極と、を備えており、
前記スイッチング素子は、前記絶縁基板上に設けられた半導体活性層と、ゲイト絶縁膜と、ゲイト電極と、を備えており、
前記メモリ素子の半導体活性層の厚さは、前記スイッチング素子の半導体活性層の厚さよりも小さいことを特徴とする半導体装置。
【請求項２】
不揮発性メモリを有する半導体装置であって、
前記不揮発性メモリは、メモリ素子とスイッチング素子とがマトリクス状に配列された複数のメモリセルで構成され、
前記メモリ素子は、絶縁基板上に設けられた半導体活性層と、ゲイト絶縁膜と、フローティングゲイト電極と、前記フローティングゲイト電極を覆って設けられた酸化膜と、コントロールゲイト電極と、を備えており、
前記スイッチング素子は、前記絶縁基板上に設けられた半導体活性層と、ゲイト絶縁膜と、ゲイト電極と、を備えており、
前記メモリ素子の半導体活性層および前記スイッチング素子の半導体活性層は、結晶性珪素膜で構成されており、
前記メモリ素子の半導体活性層の厚さは、前記スイッチング素子の半導体活性層の厚さよりも小さいことを特徴とする半導体装置。
【請求項３】
不揮発性メモリを有する半導体装置であって、
前記不揮発性メモリは、メモリ素子とスイッチング素子とがマトリクス状に配列された複数のメモリセルで構成され、
前記メモリ素子は、絶縁基板上に設けられた半導体活性層と、第１の絶縁膜と、フローティングゲイト電極と、第２の絶縁膜と、コントロールゲイト電極と、を備えており、
前記スイッチング素子は、前記絶縁基板上に設けられた半導体活性層と、第１の絶縁膜と、ゲイト電極と、を備えており、
前記メモリ素子の半導体活性層の厚さは、前記スイッチング素子の半導体活性層の厚さよりも小さいことを特徴とする半導体装置。
【請求項４】
不揮発性メモリを有する半導体装置であって、
前記不揮発性メモリは、メモリ素子とスイッチング素子とがマトリクス状に配列された複数のメモリセルで構成され、
前記メモリ素子は、絶縁基板上に設けられた半導体活性層と、第１の絶縁膜と、フローティングゲイト電極と、第２の絶縁膜と、コントロールゲイト電極と、を備えており、
前記スイッチング素子は、前記絶縁基板上に設けられた半導体活性層と、第１の絶縁膜と、ゲイト電極と、を備えており、
前記メモリ素子の半導体活性層および前記スイッチング素子の半導体活性層は、結晶性珪素膜で構成されており、
前記メモリ素子の半導体活性層の厚さは、前記スイッチング素子の半導体活性層の厚さよりも小さいことを特徴とする半導体装置。
【請求項５】
請求項１乃至４のいすれか一項において、前記メモリ素子の半導体活性層の厚さは１〜５０ｎｍであり、前記スイッチング素子の半導体活性層の厚さは４０〜１００ｎｍであることを特徴とする半導体装置。
【請求項６】
請求項１乃至５のいずれか一項において、前記メモリ素子の半導体活性層の厚さは、前記スイッチング素子の半導体活性層の厚さよりも、インパクトイオナイゼイションが発生しやすい厚さであることを特徴とする半導体装置。
【請求項７】
請求項１乃至６のいずれか一項において、前記メモリ素子の半導体活性層に流れるトンネル電流は、前記スイッチング素子の半導体活性層に流れるトンネル電流の２倍以上であることを特徴とする半導体装置。
【請求項８】
請求項１乃至７のいずれか一項に記載の半導体装置は、ビデオカメラ、スチルカメラ、カーナビゲーション、パーソナルコンピュータ、または携帯情報端末に用いられることを特徴とする半導体装置。
【手続補正書】
【提出日】平成16年7月21日(2004.7.21)
【手続補正１】
【補正対象書類名】明細書
【補正対象項目名】特許請求の範囲
【補正方法】変更
【補正の内容】
【特許請求の範囲】
【請求項１】
チャネル毎に異なる拡散符号によりスペクトル拡散された複数のチャネルの送信信号から、所定の振幅制限設定値に振幅制限された多重信号を生成し、この多重信号を電力増幅した後送信するスペクトル拡散通信装置において、
各チャネルの送信信号の振幅を制御する制御信号を生成する制御信号生成回路と、
前記制御信号に基づき各チャネルの送信信号の振幅を可変制御する複数のボリューム回路と、
前記可変制御された各チャネルの送信信号を多重化し、多重信号を生成する送信用多重回路と、
を備え、前記多重信号中の振幅制限設定値を超える部分の振幅を前記設定値以下に振幅制限し、
前記制御信号生成回路は、前記各チャネルの送信信号の平均電力情報と振幅制限設定値とから、前記多重信号の振幅制限にともなう各チャネルの送信信号の電力変動量を補償する制御信号を生成し、前記ボリューム回路は、前記制御信号に基づき、各チャネルの送信信号の振幅を補償するように可変制御する
ことを特徴とするスペクトル拡散通信装置。
【請求項２】
前記多重信号中の振幅制限設定値を超える部分の振幅を前記設定値以下に振幅制限する非線形振幅制限回路を備えたことを特徴とする請求項１記載のスペクトル拡散通信装置。
【請求項３】
前記制御信号生成回路は、前記各チャネルの送信信号の平均電力情報と振幅制限設定値とから、前記多重信号の振幅制限にともなう各チャネルの送信信号の電力変動量を補償するとともに、前記多重信号中の振幅制限設定値を超える部分の振幅を前記設定値以下に振幅制限できるよう各チャネルの送信信号の振幅を制限する制御信号を生成する
ことを特徴とするスペクトル拡散通信装置。
【請求項４】
各チャネルの送信信号の振幅の補償は、各チャネルの送信信号の平均電力に応じて重み付けされている
ことを特徴とする請求項１に記載のスペクトル拡散通信装置。
【請求項５】
各チャネルの送信信号の振幅の補償は、前記多重信号が振幅制限設定値を超える頻度に応じて時間的に制御される
ことを特徴とする請求項１に記載のスペクトル拡散通信装置。
【手続補正２】
【補正対象書類名】明細書
【補正対象項目名】０００９
【補正方法】変更
【補正の内容】
【０００９】
【課題を解決するための手段】
この発明に係るスペクトル拡散通信装置においては、チャネル毎に異なる拡散符号によりスペクトル拡散された複数のチャネルの送信信号から、所定の振幅制限設定値に振幅制限された多重信号を生成し、この多重信号を電力増幅した後送信するに際し、各チャネルの送信信号の振幅を制御する制御信号を生成する制御信号生成回路と、前記制御信号に基づき各チャネルの送信信号の振幅を可変制御する複数のボリューム回路と、前記可変制御された各チャネルの送信信号を多重化し、多重信号を生成する送信用多重回路とを備え、前記多重信号中の振幅制限設定値を超える部分の振幅を前記設定値以下に振幅制限し、前記制御信号生成回路は、前記各チャネルの送信信号の平均電力情報と振幅制限設定値とから、前記多重信号の振幅制限にともなう各チャネルの送信信号の電力変動量を補償する制御信号を生成し、前記ボリューム回路は、前記制御信号に基づき、各チャネルの送信信号の振幅を補償するように可変制御するようにしたものである。
また、前記多重信号中の振幅制限設定値を超える部分の振幅を前記設定値以下に振幅制限する非線形振幅制限回路を備えたものである。
【手続補正３】
【補正対象書類名】明細書
【補正対象項目名】００１０
【補正方法】変更
【補正の内容】
【００１０】
また、前記制御信号生成回路は、前記各チャネルの送信信号の平均電力情報と振幅制限設定値とから、前記多重信号の振幅制限にともなう各チャネルの送信信号の電力変動量を補償するとともに、前記多重信号中の振幅制限設定値を超える部分の振幅を前記設定値以下に振幅制限できるよう各チャネルの送信信号の振幅を制限する制御信号を生成するようにしたものである。
【手続補正４】
【補正対象書類名】図面
【補正対象項目名】図１
【補正方法】変更
【補正の内容】
【図１】
1999154927.tif 000001
【手続補正５】
【補正対象書類名】図面
【補正対象項目名】図７
【補正方法】変更
【補正の内容】
【図７】
1999154927.tif 000002
【手続補正６】
【補正対象書類名】図面
【補正対象項目名】図９
【補正方法】変更
【補正の内容】
【図９】
1999154927.tif 000003
【手続補正書】
【提出日】平成16年5月6日(2004.5.6)
【手続補正１】
【補正対象書類名】明細書
【補正対象項目名】特許請求の範囲
【補正方法】変更
【補正の内容】
【特許請求の範囲】
【請求項１】
炭素材料と結合材とを含んでなる分極性電極が金属集電体と一体化されてなる有機電解液使用電気二重層キャパシタ用電極体において、前記結合材が、パーフルオロ（アルキルビニルエーテル）／フッ化ビニリデン共重合体、ヘキサフルオロプロピレン／フッ化ビニリデン共重合体、クロロトリフルオロエチレン／フッ化ビニリデン共重合体、テトラフルオロエチレン／フッ化ビニリデン共重合体、ヘキサフルオロアセトン／フッ化ビニリデン共重合体及びクロロトリフルオロエチレン／ビニレンカーボネート共重合体からなる群から選ばれる１種以上の共重合体と、ポリフッ化ビニリデンとを含むことを特徴とする電気二重層キャパシタ用電極体。
【請求項２】
結合材は、ポリフッ化ビニリデンが１０〜９５重量％含まれる請求項１記載の電気二重層キャパシタ用電極体。
【請求項３】
請求項１又は２記載の電極体を正極体及び負極体とし、セパレータを介して対向させ、有機電解液を含浸させてなることを特徴とする電気二重層キャパシタ。
【請求項４】
パーフルオロ（アルキルビニルエーテル）／フッ化ビニリデン共重合体、ヘキサフルオロプロピレン／フッ化ビニリデン共重合体、クロロトリフルオロエチレン／フッ化ビニリデン共重合体、テトラフルオロエチレン／フッ化ビニリデン共重合体、ヘキサフルオロアセトン／フッ化ビニリデン共重合体及びクロロトリフルオロエチレン／ビニレンカーボネート共重合体からなる群から選ばれる１種以上の共重合体と、ポリフッ化ビニリデンとを有機溶剤に溶解した溶液に、炭素材料を分散させてスラリとなし、該スラリを金属集電体に塗工し、乾燥することを特徴とする電気二重層キャパシタ用電極体の製造方法。
【手続補正２】
【補正対象書類名】明細書
【補正対象項目名】０００９
【補正方法】変更
【補正の内容】
【０００９】
【課題を解決するための手段】
本発明は、炭素材料と結合材とを含んでなる分極性電極が金属集電体と一体化されてなる有機電解液使用電気二重層キャパシタ用電極体において、結合材が、パーフルオロ（アルキルビニルエーテル）／フッ化ビニリデン共重合体、ヘキサフルオロプロピレン／フッ化ビニリデン共重合体、クロロトリフルオロエチレン／フッ化ビニリデン共重合体、テトラフルオロエチレン／フッ化ビニリデン共重合体、ヘキサフルオロアセトン／フッ化ビニリデン共重合体及びクロロトリフルオロエチレン／ビニレンカーボネート共重合体からなる群から選ばれる１種以上の共重合体と、ポリフッ化ビニリデンとを含むことを特徴とする電気二重層キャパシタ用電極体と、該電極体を有する電気二重層キャパシタを提供する。
【手続補正３】
【補正対象書類名】明細書
【補正対象項目名】００１４
【補正方法】変更
【補正の内容】
【００１４】
本発明における結合材は、前記共重合体と他のポリマーとの混合物とする。他のポリマーとしては、従来公知の結合材がいずれも使用でき、例えばポリフッ化ビニリデン、ポリテトラフルオロエチレン、ポリビニルアルコール、ポリビニルピロリドン等が挙げられるが、本発明においては前記共重合体とポリフッ化ビニリデンとの混合物を結合材とする。
【手続補正４】
【補正対象書類名】明細書
【補正対象項目名】００４４
【補正方法】変更
【補正の内容】
【００４４】
［例７（比較例）］
ＣＦ２＝ＣＦＯＣＦ２ＣＦ２ＣＦ３／フッ化ビニリデン共重合体を１０重量部用い、ポリフッ化ビニリデンを用いなかったほかは例１と同様にして電気二重層キャパシタを作製した。
【手続補正書】
【提出日】平成16年11月15日(2004.11.15)
【手続補正１】
【補正対象書類名】明細書
【補正対象項目名】特許請求の範囲
【補正方法】変更
【補正の内容】
【特許請求の範囲】
【請求項１】
酸の水溶液からなる処理液を加熱し、その加熱された処理液中に基板を浸漬させて、基板の表面上に形成された２種類もしくはそれ以上の種類の被膜のうちの所定の被膜を選択的にエッチングする基板の表面処理方法において、
前記処理液を沸騰直前の状態に保つように制御しながら、基板の表面上に形成された所定の被膜のエッチングを行うことを特徴とする基板の表面処理方法。
【請求項２】
請求項１に記載の基板の表面処理方法において、
処理液が激しく発泡することがないように制御することを特徴とする基板の表面処理方法。
【請求項３】
請求項１または請求項２に記載の基板の表面処理方法において、
処理液の比重調節における目標とすべき比重を設定し、その設定された処理液の比重における沸点より僅かに低い温度を、処理液の温度調節における目標値として設定することを特徴とする基板の表面処理方法。
【請求項４】
請求項１または請求項２に記載の基板の表面処理方法において、
処理液の温度調節における目標とすべき温度を設定し、その設定された処理液の温度が処理液の沸点となるような処理液の比重より僅かに大きい比重を、処理液の比重調節における目標値として設定することを特徴とする基板の表面処理方法。
【手続補正２】
【補正対象書類名】明細書
【補正対象項目名】００１０
【補正方法】変更
【補正の内容】
【００１０】
【課題を解決するための手段】
請求項１に係る発明は、酸の水溶液からなる処理液を加熱し、その加熱された処理液中に基板を浸漬させて、基板の表面上に形成された２種類もしくはそれ以上の種類の被膜のうちの所定の被膜を選択的にエッチングする基板の表面処理方法において、前記処理液を沸騰直前の状態に保つように制御しながら、基板の表面上に形成された所定の被膜のエッチングを行うことを特徴とする。
請求項２に係る発明は、請求項１に記載の基板の表面処理方法において、処理液が激しく発泡することがないように制御することを特徴とする。
請求項３に係る発明は、請求項１または請求項２に記載の基板の表面処理方法において、処理液の比重調節における目標とすべき比重を設定し、その設定された処理液の比重における沸点より僅かに低い温度を、処理液の温度調節における目標値として設定することを特徴とする。
請求項４に係る発明は、請求項１または請求項２に記載の基板の表面処理方法において、処理液の温度調節における目標とすべき温度を設定し、その設定された処理液の温度が処理液の沸点となるような処理液の比重より僅かに大きい比重を、処理液の比重調節における目標値として設定することを特徴とする。
【手続補正３】
【補正対象書類名】明細書
【補正対象項目名】００２０
【補正方法】変更
【補正の内容】
【００２０】
【発明の効果】
請求項１に係る発明の方法により、酸の水溶液からなる処理液を加熱してその処理液中に基板を浸漬させ、基板の表面上に形成された２種類もしくはそれ以上の種類の被膜のうちの所定の被膜を選択的にエッチングするときには、基板ホルダのスロットに保持された基板が処理中の発泡により基板ホルダ内で揺動してスロットから抜け出る、といったことが起こる心配が無く、また、基板の表面処理における面内均一性が得られる。
【手続補正書】
【提出日】平成16年11月19日(2004.11.19)
【手続補正１】
【補正対象書類名】明細書
【補正対象項目名】発明の名称
【補正方法】変更
【補正の内容】
【発明の名称】印刷制御装置および印刷制御方法
【手続補正２】
【補正対象書類名】明細書
【補正対象項目名】特許請求の範囲
【補正方法】変更
【補正の内容】
【特許請求の範囲】
【請求項１】
所定のファイル転送プロトコルを介して受信した印刷データを印刷する印刷制御装置において、
セキュリティユーザ識別情報を登録したリストと、
受信した前記印刷データが守秘印刷ファイルであるか否かを、前記ファイル転送プロトコルコマンド上のユーザ識別情報および前記リストに含まれているセキュリティユーザ識別情報を参照して判別する守秘印刷ファイル認識手段と、
前記守秘印刷ファイル認識手段によって守秘印刷ファイルであると判断された印刷データおよび前記ユーザ識別情報を格納する守秘印刷データ格納手段と、
セキュリティユーザ識別情報および印刷開始指示を入力する印刷開始指示手段と、
前記セキュリティユーザ情報および印刷開始指示の入力に応答して前記守秘印刷データ格納手段から印刷データを読み出す手動印刷制御手段と、
前記印刷データを印刷するプリンタエンジンとを具備したことを特徴とする印刷制御装置。
【請求項２】
前記印刷開始指示手段が、入力されたセキュリティユーザ情報が前記リストに登録されている場合に、前記手動印刷制御手段を有効にする許可信号を出力するように構成されていることを特徴とする請求項１記載の印刷制御装置。
【請求項３】
前記手動印刷制御手段が、前記許可信号を受けた後、さらに前記セキュリティユーザ情報および前記守秘印刷データ格納手段に格納されているユーザ識別情報の一致を条件として前記守秘印刷データ格納手段から印刷データを読み出すように構成されていることを特徴とする請求項２記載の印刷制御装置。
【請求項４】
前記リストに登録されているセキュリティユーザ情報は、守秘印刷ファイル転送を許可されたユーザの名称であって、
前記守秘印刷ファイル認識手段は、前記ファイル転送プロトコルコマンドのユーザコマンドに含まれるユーザ名が前記リストのユーザ名称に含まれている場合に、受信した前記印刷データが守秘印刷ファイルであると判断するように構成されたことを特徴とする請求項１記載の印刷制御装置。
【請求項５】
前記リストに登録されているセキュリティユーザ情報は、守秘印刷ファイル転送を許可されたユーザにセキュリティ用として割り当てられたパスワードであって、
前記守秘印刷ファイル認識手段は、前記ファイル転送プロトコルコマンドのパスコマンドに含まれるパスワードが前記リストのパスワードに含まれている場合に、受信した前記印刷データが守秘印刷ファイルであると判断するように構成されたことを特徴とする請求項１記載の印刷制御装置。
【請求項６】
所定のファイル転送プロトコルを介して受信した印刷データを印刷する印刷制御方法において、
セキュリティユーザ識別情報を登録したリストを作成し、
受信した前記印刷データが守秘印刷ファイルであるか否かを、前記ファイル転送プロトコルコマンド上のユーザ識別情報および前記リストに含まれているセキュリティユーザ識別情報を参照して判別し、
前記判別によって守秘印刷ファイルであると判断された印刷データおよび前記ユーザ識別情報を守秘印刷データ格納手段に格納し、
セキュリティユーザ識別情報および印刷開始指示の入力に応答して前記守秘印刷データ格納手段から印刷データを読み出してプリンタエンジンに該印刷データを供給することを特徴とする印刷制御方法。
【請求項７】
入力されたセキュリティユーザ情報が前記リストに登録されている場合に、前記守秘印刷データ格納手段から印刷データを読み出してプリンタエンジンに該印刷データを供給することを特徴とする請求項６記載の印刷制御方法。
【請求項８】
前記守秘印刷データ格納手段からの印刷データ読み出しは、前記セキュリティユーザ情報および前記守秘印刷データ格納手段に格納されているユーザ識別情報の一致を条件として行われることを特徴とする請求項６記載の印刷制御方法。
【請求項９】
前記リストに登録されているセキュリティユーザ情報は、守秘印刷ファイル転送を許可されたユーザの名称であって、
前記ファイル転送プロトコルコマンドのユーザコマンドに含まれるユーザ名が前記リストのユーザ名称に含まれている場合に、受信した前記印刷データが守秘印刷ファイルであると判断するように構成されたことを特徴とする請求項６記載の印刷制御方法。
【請求項１０】
前記リストに登録されているセキュリティユーザ情報は、守秘印刷ファイル転送を許可されたユーザにセキュリティ用として割り当てられたパスワードであって、
前記ファイル転送プロトコルコマンドのパスコマンドに含まれるパスワードが前記リストのパスワードに含まれている場合に、受信した前記印刷データが守秘印刷ファイルであると判断するように構成されたことを特徴とする請求項６記載の印刷制御方法。
【手続補正３】
【補正対象書類名】明細書
【補正対象項目名】０００１
【補正方法】変更
【補正の内容】
【０００１】
【発明の属する技術分野】
本発明は、印刷制御装置および印刷制御方法に関し、特に、ネットワークを介して接続された印刷装置（以下、「プリンタ」という）で守秘印刷ファイルを印刷するのに好適な印刷制御装置および印刷制御方法に関する。
【手続補正４】
【補正対象書類名】明細書
【補正対象項目名】０００８
【補正方法】変更
【補正の内容】
【０００８】
本発明は、上記問題点を解消し、汎用的なファイル転送プロトコルを変更することなく守秘印刷ファイルを区別することができる印刷制御装置および印刷制御方法を提供することを目的とする。
【手続補正５】
【補正対象書類名】明細書
【補正対象項目名】０００９
【補正方法】変更
【補正の内容】
【０００９】
【課題を解決するための手段】
上記の課題を解決し、目的を達成するための本発明は、所定のファイル転送プロトコルを介して受信した印刷データを印刷するプリントサーバの印刷制御装置において、セキュリティユーザ識別情報を登録したリストと、受信した前記印刷データが守秘印刷ファイルであるか否かを、ファイル転送プロトコルコマンド上のユーザ識別情報および前記リストに含まれているセキュリティユーザ識別情報を参照して判別する守秘印刷ファイル認識手段と、前記守秘印刷ファイル認識手段によって守秘印刷ファイルであると判断された印刷データおよび前記ユーザ識別情報を格納する守秘印刷データ格納手段と、セキュリティユーザ識別情報および印刷開始指示を入力する印刷開始指示手段と、前記セキュリティユーザ識別情報および印刷開始指示の入力に応答して前記守秘印刷データ格納手段から印刷データを読み出す手動印刷制御手段と、前記印刷データを印刷するプリンタエンジンとを具備した点に特徴がある。
【手続補正６】
【補正対象書類名】明細書
【補正対象項目名】００１０
【補正方法】変更
【補正の内容】
【００１０】
上記特徴によれば、所定のファイル転送プロトコルコマンド上のユーザ識別情報が、予定のリスト上にあるか否かによって印刷データが守秘印刷ファイルであるか否かが判断され、その判断結果によって守秘印刷ファイルは守秘印刷データ格納手段に格納される。さらに、この守秘印刷ファイルはセキュリティユーザ識別情報が入力したときにプリンタエンジンに読み出される。
【手続補正書】
【提出日】平成16年11月16日(2004.11.16)
【手続補正１】
【補正対象書類名】明細書
【補正対象項目名】発明の名称
【補正方法】変更
【補正の内容】
【発明の名称】コンピュータ装置
【手続補正２】
【補正対象書類名】明細書
【補正対象項目名】特許請求の範囲
【補正方法】変更
【補正の内容】
【特許請求の範囲】
【請求項１】
薄型ディスプレイ部をその前面にもつ本体部と、この本体部を支持するスタンド部とを備えたデスクトップ型のコンピュータ装置であって、
上記薄型ディスプレイ部の裏側に、この薄型ディスプレイ部と平行かつ近接してメインシャーシ板を配設して、このメインシャーシ板の裏側にマザーボードを取り付け、
上記メインシャーシ板の裏側に垂設された保持板上に電源部を配設して、
上記保持板の下方に、増設装置を直接または装着用アタッチメントを介して着脱可能に収納する装着部を備えたことを特徴とするコンピュータ装置。
【請求項２】
請求項１記載において、
前記マザーボードの部品搭載面の主体部および前記電源部の少なくとも上面を、前記本体部の外筐ケーシングにおける放熱穴形成部位に、直接対向させるようにしたことを特徴とするコンピュータ装置。
【請求項３】
請求項２記載において、
前記マザーボードの上部を覆う前記本体部の外筐ケーシング部位にも、放熱穴を形成したことを特徴とするコンピュータ装置。
【請求項４】
薄型ディスプレイ部をその前面にもつ本体部と、この本体部を支持するスタンド部とを備えたデスクトップ型のコンピュータ装置であって、
上記薄型ディスプレイ部の裏側に、この薄型ディスプレイ部と平行かつ近接してメインシャーシ板を配設して、このメインシャーシ板の裏側にマザーボードを取り付けると共に、このマザーボードに拡張ボード装着用のコネクタボードを垂設して、このコネクタボードに拡張ボートを上記マザーボードと平行に増設可能とし、
上記メインシャーシ板の裏側に垂設された保持板上に電源部を配設して、
上記保持板の下方に、増設装置を直接または装着用アタッチメントを介して着脱可能に収納する装着部を備えたことを特徴とするコンピュータ装置。
【請求項５】
請求項４記載において、
前記マザーボードの部品搭載面の主体部または増設された前記拡張ボートを、前記本体部の外筐ケーシングの裏面側に設けた放熱穴に直接対向させると共に、この外筐ケーシングの裏面側に設けた放熱穴から、前記マザーボード、前記拡張ボード、前記電源部から発散した熱を外部に放出するようにしたことを特徴とするコンピュータ装置。
【請求項６】
請求項５記載において、
前記マザーボードの上部を覆う前記本体部の外筐ケーシング部位にも、放熱穴を形成したことを特徴とするコンピュータ装置。
【請求項７】
請求項１または４記載のコンピュータ装置において、
前記装着部は、第１サイズタイプの増設装置用の第１の装着部と、第２サイズタイプの増設装置用の第２の装着部とが設けられたことを特徴とするコンピュータ装置。
【請求項８】
請求項７記載において、
前記第１の装着部と前記第２の装着部とは、隣接して水平配置されたことを特徴とするコンピュータ装置。
【請求項９】
請求項８記載において、
前記第１の装着部と前記第２の装着部には、少なくとも、ＵＳＢコネクタまたはＩＥＥＥ１３９４コネクタが備えられたことを特徴とするコンピュータ装置。
【手続補正３】
【補正対象書類名】明細書
【補正対象項目名】０００１
【補正方法】変更
【補正の内容】
【０００１】
【発明の属する技術分野】
本発明は、コンピュータ装置に係り、特に、液晶ディスプレイ等の薄型ディスプレイを備えたデスクトップ型のコンピュータ装置に関する。
【手続補正４】
【補正対象書類名】明細書
【補正対象項目名】０００５
【補正方法】削除
【補正の内容】
【手続補正５】
【補正対象書類名】明細書
【補正対象項目名】０００６
【補正方法】変更
【補正の内容】
【０００６】
本発明の目的とするところは、近時出現もしくは将来出現が予測される多様な記録ドライブや携帯機器などの機器に、対応可能なコンピュータ装置とすることにある。
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】変更
【補正の内容】
【０００８】
【課題を解決するための手段】
本発明は上記した目的を達成するため、薄型ディスプレイ部をその前面にもつ本体部と、この本体部を支持するスタンド部とを備えたデスクトップ型のコンピュータ装置であって、上記薄型ディスプレイ部の裏側に、この薄型ディスプレイ部と平行かつ近接してメインシャーシ板を配設して、このメインシャーシ板の裏側にマザーボードを取り付け、上記メインシャーシ板の裏側に垂設された保持板上に電源部を配設して、上記保持板の下方に、増設装置を直接または装着用アタッチメントを介して着脱可能に収納する装着部を備える。
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００７２
【補正方法】削除
【補正の内容】
【手続補正１１】
【補正対象書類名】明細書
【補正対象項目名】００７３
【補正方法】変更
【補正の内容】
【００７３】
【発明の効果】
以上のように本発明によれば、近時出現もしくは将来出現が予測される多様な記録ドライブや携帯機器などの機器に、対応可能なコンピュータ装置を提供することができる。
【手続補正１２】
【補正対象書類名】明細書
【補正対象項目名】００７４
【補正方法】削除
【補正の内容】
【手続補正書】
【提出日】平成17年7月27日(2005.7.27)
【手続補正１】
【補正対象書類名】明細書
【補正対象項目名】特許請求の範囲
【補正方法】変更
【補正の内容】
【特許請求の範囲】
【請求項１】
信号上のノイズを低減する方法であって、
（ａ）第１の電圧レベルから第２の電圧レベルへの、前記信号の遷移を検出するステップと、
（ｂ）前記第２の電圧レベルが、電圧の第１の範囲内にある場合には、第１のクランプ装置をオンにするステップであって、
電圧の前記第１の範囲は、ローの論理レベルを画定し、
前記第１のクランプ装置は、前記信号に接続され、
前記第１のクランプ装置は、オンの時には、第１の電圧源と、前記信号と第１の論理基準電圧との間の第１のインピーダンスとを備える第１のテブナンの等価回路として機能することからなる、ステップと、
（ｃ）前記第２の電圧レベルが、電圧の第２の範囲内にある場合には、第２のクランプ装置をオンにするステップであって、
電圧の前記第２の範囲は、ハイの論理レベルを画定し、
前記第２のクランプ装置は、前記信号に接続され、
前記第２のクランプ装置は、オンの時には、第２の電圧源と、前記信号と第２の論理基準電圧との間の第２のインピーダンスとを備える第２のテブナンの等価回路として機能することからなる、ステップと、
（ｄ）前記第１のクランプ装置と前記第２のクランプ装置とのうちの一方がオンである間、ある期間にわたって待機するステップと、
（ｅ）前記第１のクランプ装置と前記第２のクランプ装置とのうちのオンである前記一方を、オフにするステップ
とを含む、方法。
【請求項２】
信号上のノイズを低減するための装置であって、
受信器出力と受信器入力とを有する受信器であって、
前記受信器入力は、前記信号に接続され、
前記受信器出力は、前記信号がローの論理レベルか又はハイの論理レベルかどうかを示すことからなる、受信器と、
パルス発生器入力と、クランプ・ハイ出力と、クランプ・ロー出力とを有するパルス発生器であって、
前記パルス発生器入力は、前記受信器出力に結合され、
前記クランプ・ハイ出力は、前記パルス発生器入力に応答して、前記信号がローの論理レベルからハイの論理レベルへと遷移したことを前記パルス発生器入力が示す時には、第１のパルスを発生し、
前記クランプ・ロー出力は、前記パルス発生器入力に応答して、前記信号がハイの論理レベルからローの論理レベルへと遷移したことを前記パルス発生器入力が示す時には、第２のパルスを発生することからなる、パルス発生器と、
前記クランプ・ハイ出力に結合された第１のクランプ装置であって、
前記第１のクランプ装置は、オンの時には、前記信号と第１の電源ノードとの間に第１の無限ではないインピーダンスを確立し、
前記第１の電源ノード上の電圧は、前記第１の電源ノード上の前記電圧が前記受信器入力において存在した場合には、前記信号が前記ハイの論理レベルにあることを前記受信器出力が示すこととなるような電圧であり、
前記第１のクランプ装置は、前記第１のパルスが存在する期間中だけオンであることからなる、第１のクランプ装置と、
前記クランプのローの出力に結合された第２のクランプ装置であって、
前記第２のクランプ装置は、オンの時には、前記信号と第２の電源ノードとの間に第２の無限ではないインピーダンスを確立し、
前記第２の電源ノード上の電圧は、前記第２の電源ノード上の前記電圧が前記受信器入力において存在した場合には、前記信号が前記ローの論理レベルにあることを前記受信器出力が示すこととなるような電圧であり、
前記第２のクランプ装置は、前記第２のパルスが存在する期間中だけオンであることからなる、第２のクランプ装置
とを備える、装置。
【請求項３】
前記クランプ・ロー出力に結合された第３のクランプ装置を更に備え、
前記第３のクランプ装置は、オンの時には、前記信号と前記第１の電源ノードとの間に第３の無限ではないインピーダンスを確立し、
前記第３のクランプ装置は、前記第２のパルスが存在する期間中だけオンであることからなる、請求項２に記載の装置。
【手続補正書】
【提出日】平成16年11月22日(2004.11.22)
【手続補正１】
【補正対象書類名】明細書
【補正対象項目名】特許請求の範囲
【補正方法】変更
【補正の内容】
【特許請求の範囲】
【請求項１】
移動体が移動する状況を画面に表示するゲーム装置の画像処理方法において、三次元仮想空間で自動車レースをコースに展開するための表示データを常時表示される表示データを記憶する共通用領域と前記移動体の位置に応じて書き換わる表示データを記憶するブロック用領域とに分けて記憶するテクスチャメモリと、前記表示データのうち前記ブロック用領域に転送するための表示データを前記コースのエリアに対応づけて複数のブロックに分割してテクスチャデータとして記憶するデータ記憶手段と、前記データ記憶手段に記憶されたデータを処理する手段と、前記テクスチャメモリの共通用領域とブロック用領域に記憶された表示データに従った画像を画面上に表示する表示手段とを備え、前記データを処理する手段は、前記移動体の前記コースにおける位置を検出する工程と、前記工程で検出された移動体の位置に応じたテクスチャデータを前記データ記憶手段から抽出する工程と、前記工程で抽出されたテクスチャデータを前記テクスチャメモリのブロック領域に転送する工程とを備えていることを特徴とするゲーム装置の画像処理方法。
【請求項２】
移動体が移動する状況を画面に表示するゲーム装置の画像処理方法において、自動車レースをコースに展開するための表示データを常時表示される表示データを記憶する共通用領域と前記移動体の位置に応じて書き換わる表示データを記憶する複数のブロック用領域とに分けて記憶するテクスチャメモリと、前記表示データのうち前記複数のブロック用領域に転送するための表示データを前記コースのエリアに対応づけて複数のブロックに分割してテクスチャデータとして記憶するデータ記憶手段と、前記データ記憶手段に記憶されたデータを処理する手段と、前記テクスチャメモリの共通用領域と複数のブロック用領域に記憶された表示データに従った画像を画面上に表示する表示手段とを備え、前記データを処理する手段は、前記移動体の前記コースにおける位置を検出する工程と、前記工程で検出された移動体の位置に応じたテクスチャデータを前記データ記憶手段から抽出する工程と、前記工程で抽出されたテクスチャデータを前記テクスチャメモリのいずれかのブロック領域に転送する工程とを備えていることを特徴とするゲーム装置の画像処理方法。
【請求項３】
移動体が移動する状況を画面に表示するゲーム装置の画像処理方法において、自動車レースをコースに展開するための表示データを常時表示される表示データを記憶する共通用領域と前記移動体の位置に応じて書き換わる表示データを記憶する奇数用ブロック用領域および偶数用ブロック領域とに分けて記憶するテクスチャメモリと、前記表示データのうち前記奇数用ブロック用領域および偶数用ブロック領域に転送するための表示データを前記コースのエリアに対応づけて複数のブロックに分割してテクスチャデータとして記憶するデータ記憶手段と、前記データ記憶手段に記憶されたデータを処理する手段と、前記テクスチャメモリの共通用領域と奇数用ブロック用領域および偶数用ブロック領域に記憶された表示データに従った画像を画面上に表示する表示手段とを備え、前記データを処理する手段は、前記移動体の前記コースにおける位置を検出する工程と、前記工程で検出された移動体の位置に応じたテクスチャデータを前記データ記憶手段から抽出する工程と、前記工程で抽出されたテクスチャデータを前記テクスチャメモリの奇数用ブロック用領域または偶数用ブロック領域に転送する工程とを備えていることを特徴とするゲーム装置の画像処理方法。
【請求項４】
請求項１、２または３のうちいずれか１項に記載のゲーム装置の画像処理方法において、前記データを処理する手段は、前記記憶手段に記憶されているテクスチャデータのうち１枚のテクスチャデータを転送することを特徴とするゲーム装置の画像処理方法。
【請求項５】
請求項１、２、３または４のうちいずれか１項に記載のゲーム装置の画像処理方法において、前記データを処理する手段は、転送先のデータを転送したデータに従って書き換えることを特徴とするゲーム装置の画像処理方法。
【請求項６】
移動体が移動する状況を画面に表示するゲーム装置において、三次元仮想空間で自動車レースをコースに展開するための表示データを常時表示される表示データを記憶する共通用領域と前記移動体の位置に応じて書き換わる表示データを記憶するブロック用領域とに分けて記憶するテクスチャメモリと、前記表示データのうち前記ブロック用領域に転送するための表示データを前記コースのエリアに対応づけて複数のブロックに分割してテクスチャデータとして記憶するデータ記憶手段と、前記移動体の前記コースにおける位置に応じたテクスチャデータを前記データ記憶手段から抽出して前記テクスチャメモリのブロック領域に転送する手段と、前記テクスチャメモリの共通用領域とブロック用領域に記憶された表示データに従った画像を画面上に表示する表示手段とを備えを備えていることを特徴とするゲーム装置。
【請求項７】
請求項１、２、３、４または５のうちいずれか１項に記載のゲーム装置の画像処理方法における前記データを処理する手段の各工程をコンピュータに実行させるための画像処理プログラムが記憶されたゲーム装置用記憶媒体。
【手続補正書】
【提出日】平成16年11月8日(2004.11.8)
【手続補正１】
【補正対象書類名】明細書
【補正対象項目名】図面の簡単な説明
【補正方法】変更
【補正の内容】
【図面の簡単な説明】
【図１】
本発明の実施の形態にかかるイオンドーピング方法を実現するための装置の概念図である。
【図２】
本発明の実施の形態にかかるイオンドーピング方法を実現するための装置の要部概念図である。
【図３】
本発明の実施の形態にかかるイオンドーピング法を用いた半導体装置の製造方法を示す工程断面図である。
【図４】
本発明の実施の形態にかかるイオンドーピング法を用いた半導体装置の製造方法を示す工程断面図である。
【図５】
半導体装置の断面図である。
【図６】
従来のイオンドーピング装置の概念図である。